(57)【要約】【課題】ケース本体とダクトとの組み付け性を確保しつつ、その接合剛性を向上させることができる空調ユニットを提供する。【解決手段】内部に送風路３１が設けられ、送風路３１を通った空調風が導かれるフット開口部３４を有するケース本体３と、フット開口部３４に接続され、フット開口部３４からの空調風を導くフットダクト４とを備えた空調ユニット１であって、ケース本体３とフットダクト４は、フット開口部３４に接続される第１接続部５０と、第１接続部５０の組み付け方向ａと同じ組み付け方向で、フットダクト４の空気流れ方向の下流側で接続される第２接続部６０とで接続され、ケース本体３の外周面３５とフットダクト４に囲まれてダクト内送風路４３が構成されている。【選択図】図４
2015147450.tif 000002
【特許請求の範囲】
【請求項１】
内部に送風路（３１）が設けられ、前記送風路（３１）を通った空調風が導かれる開口部（３４）を有するケース本体（３）と、前記開口部（３４）に接続され、前記開口部（３４）からの空調風を導くダクト（４）とを備えた空調ユニット（１）であって、
前記ケース本体（３）と前記ダクト（４）は、前記送風路（３１）の前記開口部（３４）に接続される第１接続部（５０）と、前記第１接続部（５０）の組み付け方向（ａ）と同じ組み付け方向で、前記ダクト（４）の空気流れ方向の下流側で接続される第２接続部（６０）とで接続され、
前記ケース本体（３）の外周面（３５）と前記ダクト（４）に囲まれてダクト内送風路（４３）が構成されていることを特徴とする空調ユニット（１）。
【請求項２】
請求項１記載の空調ユニット（１）であって、
前記第１接続部（５０）は、前記ケース本体（３）の前記開口部（３４）の周縁と前記ダクト（４）の空気流れ方向の上流側周縁とのいずれか一方に設けられたインロー凸壁（３６）と、他方に設けられ、組み付け過程で前記インロー凸壁（３６）が入り込むインロー凹壁（４６）を有することを特徴とする空調ユニット（１）。
【請求項３】
請求項１又は請求項２記載の空調ユニット（１）であって、
前記第２接続部（６０）は、前記ケース本体（３）に設けられた延出凸壁（３７）と、前記ダクト（４）に設けられ、組み付け過程で前記延出凸壁（３７）の裏面側に差し込まれる差込凸壁（４７）とを有することを特徴とする空調ユニット（１）。
【請求項４】
請求項１〜請求項３のいずれか一方に記載の空調ユニット（１）であって、
前記ダクト（４）には、前記ケース本体（３）の前記外周面（３５）に密着する一対のシール壁（４８）と、前記ケース本体（３）の外周面（３５）の両端部を挟み込む一対のガイドリブ壁（４９）が設けられていることを特徴とする空調ユニット（１）。
【発明の詳細な説明】
【技術分野】
【０００１】
本発明は、ケース本体とこれに組み付けされるダクトとを備えた空調ユニットに関する。
【背景技術】
【０００２】
この種の空調ユニットとして、特許文献１に開示されたものがある。この空調ユニット１００は、図７及び図８に示すように、空調風を作成するための送風路１０７が内部に設けられ、この送風路１０７を通った空調風が流れ出る開口部１０２を有するケース本体１０１と、開口部１０２に接続され、開口部１０２からの空調風を導くフットダクト１１０とを備えている。
【０００３】
ケース本体１０１の開口部１０２の周縁には、一対の凹壁１０３とストッパ壁１０４が設けられている。各凹壁１０３の一端は、外部に開放する開口部１０３ａとされている。ケース本体１０１の開口部１０２の周縁の外側には、一対の引掛部１０５が設けられている。フットダクト１１０は、ダクト内送風路１１１を内部に有する。このダクト内送風路１１１の一端側は、上流開口部１１２とされ、他端側が下流開口部１１３とされている。上流開口部１１２の周縁には、前記凹壁１０３に入り込む一対の凸壁１１４が設けられている。フットダクト１１０の上流開口部１１２の周縁の外側には、一対の引掛部１１５が設けられている。
【０００４】
フットダクト１１０の凸壁１１４を凹壁１０３の開口部１０３ａよりストッパ壁１０４に突き当たるまでスライド挿入する。すると、ケース本体１０１の引掛部１０５とフットダクト１１０の引掛部１１５の双方が互いに掛止される。これにより、ケース本体１０１とフットダクト１１０が接続される。
【０００５】
この空調ユニット１００では、ケース本体１０１にフットダクト１１０をスライド挿入すれば良いため、組み付け性が良い。
【先行技術文献】
【特許文献】
【０００６】
【特許文献１】特開２０００−６６４０号公報
【発明の概要】
【発明が解決しようとする課題】
【０００７】
しかしながら、前記従来例の空調ユニット１００では、ケース本体１０１とフットダクト１１０間の接続箇所が１箇所（具体的には、ケース本体１０１の開口部１０２の位置）であるため、接合剛性が弱いという問題があった。
【０００８】
そこで、本発明は、前記した課題を解決すべくなされたものであり、ケース本体とダクトとの組み付け性を確保しつつ、その接合剛性を向上させることができる空調ユニットを提供することを目的とする。
【課題を解決するための手段】
【０００９】
本発明は、内部に送風路が設けられ、前記送風路を通った空調風が導かれる開口部を有するケース本体と、前記開口部に接続され、前記開口部からの空調風を導くダクトとを備えた空調ユニットであって、前記ケース本体と前記ダクトは、前記送風路の前記開口部に接続される第１接続部と、前記第１接続部の組み付け方向と同じ組み付け方向で、前記ダクトの空気流れ方向の下流側で接続される第２接続部とで接続され、前記ケース本体の外周面と前記ダクトに囲まれてダクト内送風路が構成されていることを特徴とする空調ユニットである。
【００１０】
前記第１接続部は、前記ケース本体の前記開口部の周縁と前記ダクトの空気流れ方向の上流側周縁とのいずれか一方に設けられたインロー凸壁と、他方に設けられ、組み付け過程で前記インロー凸壁が入り込むインロー凹壁を有するものを含む。
【００１１】
前記第２接続部は、前記ケース本体に設けられた延出凸壁と、前記ダクトに設けられ、組み付け過程で前記延出凸壁の裏面側に差し込まれる差込凸壁とを有するものを含む。
【００１２】
前記ダクトの空気流れ方向の下流側と前記ケース本体のいずれか一方に設けられた延出凸壁と、他方に設けられ、組み付け過程で前記延出凸壁の裏面側に差し込まれる差込凸壁とを有するものを含む。
【００１３】
前記ダクトには、前記ケース本体の前記外周面に密着する一対のシール壁と、前記ケース本体の外周面の両端部を挟み込む一対のガイドリブ壁が設けられているものであっても良い。
【発明の効果】
【００１４】
本発明によれば、ケース本体とフットダクトは、第１接続部と第２接続部の２箇所で接続されるため、接合剛性が高い。第１接続部と第２接続部は同じ組み付け方向であるため、組み付け性の低下を招来しない。以上より、ケース本体とフットダクトとの組み付け性を確保しつつ、その接合剛性を向上させることができる。
【図面の簡単な説明】
【００１５】
【図１】本発明の一実施形態を示し、空調ユニットの全体斜視図である。
【図２】本発明の一実施形態を示し、フットダクトの組み付け前のケース本体の斜視図である。
【図３】本発明の一実施形態を示し、内側からみたフットダクトの斜視図である。
【図４】本発明の一実施形態を示し、（ａ）はケース本体にフットダクトを組み付けする途中過程を示す断面図、（ｂ）はケース本体にフットダクトを組み付け完了した状態を示す断面図である。
【図５】本発明の一実施形態を示し、図４（ｂ）のＡ部拡大図、図４（ｂ）のＢ部拡大図である。
【図６】本発明の一実施形態を示し、図４（ｂ）のＣ−Ｃ線断面図である。
【図７】従来例の空調ユニットの分解斜視図である。
【図８】従来例の空調ユニットの要部断面図である。
【発明を実施するための形態】
【００１６】
以下、本発明の一実施形態を図面に基づいて説明する。
【００１７】
図１〜図６は本発明の一実施形態を示す。図１に示すように、空調ユニット１は、インテーク側ケース２とこれに連結されたケース本体３とこれに連結されるダクトであるフットダクト４とを有する。インテーク側ケース２内には、送風路（図示せず）が形成されている。インテーク側ケース２の送風路には、導入空気の内気・外気を切り換える内外気切り換えドア（図示せず）と、空気を送風路に吸引する送風機（図示せず）が配置されている。
【００１８】
ケース本体３は、図２に示すように、２つの分割ケース部品の合体により形成されている。ケース本体３内には、インテーク側ケース２内の送風路に連通する送風路３１が形成されている。ケース本体３の送風路３１内には、送風の冷却源であるエバポレータ（図示せず）、送風の加熱源であるヒータコア（図示せず）、冷風と温風の混合割合を可変するミックスドア（図示せず）が配置されている。ケース本体３の送風路３１の下流には、デフロスト開口部３２、ベント開口部３３と共に開口部であるフット開口部３４が形成されている。各開口部３２〜３４は、各ドア（図示せず）によって開閉される。フット開口部３４は、外周面３５に沿って、且つ、これに直交する向きを開口面として開口している。つまり、フット開口部３４の下方には、外周面（開口下の外周面）３５が配置されている。
【００１９】
フットダクト４は、フット開口部３４に接続されている。フットダクト４は、ケース本体３の外周面３５を覆うにしてケース本体３に接続されている。
【００２０】
フットダクト４は、図３に示すように、背面板部４１とこの両端より突出する一対の側面板部４２を有する。フットダクト４は、背面板部４１に対向する側の１面が開放されている。このような３面を囲むような形態のフットダクト４は、上記したようにケース本体３の外周面３５を覆うにして配置されている。これにより、フットダクト４とケース本体３の外周面３５に囲まれてダクト内送風路４３が形成されている。
【００２１】
各側面板部４２には、ドライバ席用と助手席用の吹出し用開口部４５がそれぞれ設けられている。
【００２２】
次に、ケース本体３とフットダクト４の接続構造を詳しく説明する。図４〜図６に示すように、ケース本体３とフットダクト４は、送風路３１のフット開口部３４に接続される第１接続部５０と、第１接続部５０の組み付け方向ａ（図４（ａ）に示す）と同じ組み付け方向で、フットダクト４の空気流れ方向の下流側で接続される第２接続部６０との２箇所で接続されている。
【００２３】
第１接続部５０は、ケース本体３のフット開口部３４の周縁に設けられたインロー凸壁３６と、フットダクト４の上流側周縁に設けられ、組み付け過程でインロー凸壁３６が入り込むインロー凹壁４６を有する。インロー凸壁３６とインロー凹壁４６は、１辺（外周面３５側の辺）を除く全周縁に亘って設けられている。第１接続部５０は、いわゆるインロー構造になっており、フットダクト４の組み付け方向ａの逆方向以外の全方向への変位を規制している。
【００２４】
第２接続部６０は、第１接続部５０とは離間した位置で、ケース本体３の空気流れ方向の下流側に設けられた延出凸壁３７と、フットダクト４の下流側周縁に設けられ、組み付け過程で延出凸壁３７の裏面側に差し込まれる差込凸壁４７とを有する。延出凸壁３７は、外周面３５の下辺部を下方に延出することによって形成されている。
【００２５】
フットダクト４には、外周面３５に密着する一対のシール壁４８と、一対のシール壁４８の外側位置よりケース本体３の外周面３５の両端部を囲む一対のガイドリブ壁４９が設けられている。一対のシール壁４８と一対のガイドリブ壁４９と第２接続部６０とによって、フットダクト４の組み付け方向ａの逆方向以外の全方向に対する変位を規制している。つまり、フットダクト４は、組み付け方向ａの逆方向のみが取り外し方向として組み付けされている。
【００２６】
ケース本体３とフットダクト４には、フットダクト４の組み付け完了位置で互いに重なり合うビス取付部３ａ，４ａが設けられている。この双方のビス取付部３ａ、４ａにビス６１（図４（ｂ）に示す）が締結されている。これにより、フットダクト４の取り外し方向（組み付け方向ａの逆方向）への移動が阻止されている。以上の構造によって、フットダクト４がケース本体３に接続されている。
【００２７】
次に、フットダクト４のケース本体３への組み付け手順を簡単に説明する。図４（ａ）に示すように、一対のシール壁４８をケース本体３の外周面３５で、且つ、正規の組み付け位置より下方位置で押し当て、且つ、一対のガイドリブ壁４９をケース本体３の外周面３５の両側部を挟む位置とする。
【００２８】
次に、一対のシール壁４８をケース本体３の外周面３５に当接させつつフットダクト４を上方（組み付け方向ａ）にスライド移動させる。すると、フットダクト４の上方のインロー凹壁４６にケース本体３のインロー凸壁３６が入り込むと共に、フットダクト４の下方の差込凸壁４７の裏面側にケース本体３の延出凸壁３７が差し込まれる。インロー凹壁４６にインロー凸壁３６が完全に入り込む位置までスライド移動した後に、ビス６１を締結する。これで、完了する（図４（ｂ）の状態）。
【００２９】
以上説明したように、ケース本体３とフットダクト４は、送風路３１のフット開口部３４に接続される第１接続部５０と、第１接続部５０の組み付け方向ａと同じ組み付け方向で、フットダクト４の空気流れ方向の下流側で接続される第２接続部６０とで接続され、ケース本体３の外周面３５とフットダクト４に囲まれてダクト内送風路４３が構成されている。従って、ケース本体３とフットダクト４は、第１接続部５０と第２接続部６０の２箇所で接続されるため、接合剛性が高い。第１接続部５０と第２接続部６０は同じ組み付け方向ａであるため、組み付け性の低下を招来しない。以上より、ケース本体３とフットダクト４との組み付け性を確保しつつ、その接合剛性を向上させることができる。
【００３０】
また、ダクト内送風路４３は、フットダクト４のみならずケース本体３の外周面３５を使用して構成されるため、空調ユニット１の軽量化、低コスト化などになる。又、フットダクト４の構成の単純化にもなる。
【００３１】
第１接続部５０は、ケース本体３のフット開口部３４の周縁に設けられたインロー凸壁３６と、フットダクト４の上流側周縁に設けられ、組み付け過程でインロー凸壁３６が入り込むインロー凹壁４６を有する。従って、第１接続部５０は、いわゆるインロー構造であるため、第１接続部５０の接続箇所の気密性を保持しつつ組み付け方向ａに直交する方向への変位を阻止できる。尚、この実施形態とは逆に、ケース本体３のフット開口部３４にインロー凹壁を設け、フットダクト４にインロー凸壁を設けても良い。
【００３２】
第２接続部６０は、第１接続部５０とは離間した位置で、ケース本体３の空気流れ方向の下流側に設けられた延出凸壁３７と、フットダクト４の下流側周縁に設けられ、組み付け過程で延出凸壁３７の裏面側に差し込まれる差込凸壁４７とを有する。従って、第２接続部６０は、第２接続部６０の接続箇所の気密性を保持しつつ組み付け方向ａの直交方向（フットダクト４のシール壁４８が外周面３５より離間する方向）への変位を阻止できる。尚、第２接続部６０も、第１接続部５０と同様にインロー構造としても良い。
【００３３】
フットダクト４には、外周面３５に密着する一対のシール壁４８と、一対のシール壁４８の外側位置よりケース本体３の外周面３５の両端部を挟む一対のガイドリブ壁４９が設けられている。従って、一対のシール壁４８によってダクト内送風路４３の気密性を確保できる。一対のガイドリブ壁４９がフットダクト４の組み付け時にガイドとなるため、組み付け性が向上する。又、一対のシール壁４８は、フットダクト４の組み付け時にガイドとしても機能する。一対のガイドリブ壁４９は、ダクト内送風路４３の気密性の向上にも寄与する。
【００３４】
この実施形態では、ダクトは、フットダクト４であるが、本発明はフットダクト４以外のダクトに適用できることはもちろんである。
【符号の説明】
【００３５】
１  空調ユニット
３  ケース本体
４  フットダクト（ダクト）
３１  送風路
３４  フット開口部（開口部）
３５  外周面
３６  インロー凸壁
３７  延出凸壁
４３  ダクト内送風路
４６  インロー凹壁
４７  差込凸壁
４８  シール壁
４９  ガイドリブ壁
５０  第１接続部
６０  第２接続部
【図１】
2015147450.tif 000003
【図２】
2015147450.tif 000004
【図３】
2015147450.tif 000005
【図４】
2015147450.tif 000006
【図５】
2015147450.tif 000007
【図６】
2015147450.tif 000008
【図７】
2015147450.tif 000009
【図８】
2015147450.tif 000010